(57)【特許請求の範囲】
【請求項１】
トンネル側壁に沿って設けた監視員通路の道路に面した路肩に形成した消火栓据付部と、
前記消火栓据付部に設置され、ノズル付きホースを収納した筐体の前記道路に面した前面開口に開閉自在な消火栓扉を設けると共に、前記筐体の裏面開口に開閉自在な消火栓裏扉を設けた消火栓装置と、
を備えたことを特徴とするトンネル内非常用設備。
【請求項２】
請求項１記載のトンネル内非常用設備に於いて、前記消火栓装置の消火栓扉を、下向き開閉扉、上向き開閉扉、横開き扉、下スライド扉、横スライド扉又はスクリーン扉としたことを特徴とするトンネル内非常用設備。
【請求項３】
請求項１記載のトンネル内非常用設備に於いて、前記消火栓裏扉を、下向き開閉扉、上向き開閉扉、横開き扉、横スライド扉又はスクリーン扉としたことを特徴とするトンネル内非常用設備。
【請求項４】
請求項１記載のトンネル内非常用設備に於いて、前記監視員通路下に前記消火栓装置のホースを収納するホース収納部を設けたことを特徴とするトンネル内非常用設備。
【請求項５】
請求項１記載のトンネル内非常用設備に於いて、前記消火栓装置の筐体の上面、道路側前面、監視員通路側裏面の何れか又は複数個所に赤色表示灯を設けたことを特徴とするトンネル内非常用設備。
【請求項６】
請求項１記載のトンネル内非常用設備に於いて、
消火器を収納する消火器筐体を前記筐体に連設し、前記消火器筐体の前記道路に面した前面開口に開閉自在な消火器扉を設けると共に、前記筐体の裏面開口に開閉自在な消火器裏扉を設けたことを特徴とするトンネル内非常用設備。
【請求項７】
請求項１記載のトンネル内非常用設備に於いて、前記消火栓据付部は、前記監視員通路の路肩から側壁を刳り貫き形成し、前記消火栓据付部に消火栓装置の筐体の一部を埋込設置したことを特徴とするトンネル内非常用設備。
【請求項８】
トンネル側壁に沿って設けた監視員通路の道路に面した路肩に形成した消火器据付部と、
前記消火器据付部に設置され、消火器を収納した筐体の前記道路に面した前面開口に開閉自在な消火器扉を設けると共に、前記筐体の裏面開口に開閉自在な消火器裏扉を設けた消火器箱と、
を備えたことを特徴とするトンネル内非常用設備。
【請求項９】
請求項８記載のトンネル内非常用設備に於いて、
前記消火器箱の消火器扉を、下向き開閉扉、上向き開閉扉、横開き扉、下スライド扉、横スライド扉又はスクリーン扉とし、
前記消火器箱の消火器裏扉を、下向き開閉扉、上向き開閉扉、横開き扉、横スライド扉又はスクリーン扉としたことを特徴とするトンネル内非常用設備。
【発明の詳細な説明】
【技術分野】
【０００１】
本発明は、消火栓装置に収納したノズル付きのホースを引き出して放水するトンネル内非常用設備に関する。
【背景技術】
【０００２】
従来、自動車専用道路等のトンネルには、トンネル内で発生する火災事故から人身及び車両を守るため、非常用設備が設置されている。
【０００３】
このような非常用設備としては、火災の監視と通報のため火災検出器、手動通報装置、非常電話が設けられ、また火災の消火や延焼防止のために消火栓装置が設けられ、更にトンネル躯体を火災から防護するために水噴霧ヘッドから消火用水を散水させる水噴霧などが設置されている。
【０００４】
高速道路や自動車専用道路などのトンネル内に設置する消火栓装置は、開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００５】
このような消火栓装置は、トンネル内に設けた監視員通路に面した側壁に沿って例えば５０メートル間隔で設置している。監視員通路は路面に対し１メートル程度高くした側壁通路として設け、トンネル内の車両通行を妨げることなく且つ安全にトンネル内に設置している消火栓装置を含む各種の機器の点検を行うことを可能としている。
【０００６】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【先行技術文献】
【特許文献】
【０００７】
【特許文献１】特開２００８−０５５０２４号公報
【特許文献２】特開２００９−２８５１２６号公報
【発明の概要】
【発明が解決しようとする課題】
【０００８】
しかしながら、このような従来のトンネル内に設置した消火栓装置にあっては、監視員通路に面したトンネル側壁に沿って設置していたため、車両事故の発生時に利用者は、路面から監視員通路を超えたトンネル側壁に設置している消火栓装置に手を伸ばして消火栓扉を開き、ホースを引き出して消火作業を行う必要があり、消火栓装置が路面から離れた高い位置に設置されているため、人によっては手が届かずに監視員通路に上がって操作しなければならない場合もあり、また、監視員通路によっては手摺りを設けており、手摺りが消火作業の邪魔になり、扱いづらい場合があった。
【０００９】
この問題を解決するためには、消火栓装置をトンネル内の道路に面した監視員通路側壁に沿って設置すればよいが、車両火災が発生して消火器扉の前に車両が停止している場合には、停止車両が邪魔になって、消火栓扉を開いてホースを引き出すことができないか、消火栓装置の操作に手間取ってしまう場合もある。
【００１０】
また、消火栓装置をトンネル内の道路に面した監視員通路側壁に沿って設置した場合には、消火栓扉を開いて消火栓装置を点検する場合に、開放した消火栓扉が道路側に飛び出すため、トンネル内の車両通行を規制しながら点検作業をしなければならないという不都合がある。
【００１１】
本発明は、消火栓装置を道路面側及び監視員通路側から簡単且つ容易に取り扱うことができると共に、点検等の際にも車両の通行規制を必要しないトンネル内非常用設備を提供することを目的とする。
【課題を解決するための手段】
【００１２】
（トンネル内非常用設備）
本発明は、トンネル内非常用設備に於いて、
トンネル側壁に沿って設けた監視員通路の道路に面した路肩に形成した消火栓据付部と、
消火栓据付部に設置され、ノズル付きホースを収納した筐体の道路に面した前面開口に開閉自在な消火栓扉を設けると共に、筐体の裏面開口に開閉自在な消火栓裏扉を設けた消火栓装置と、
を備えたことを特徴とする。
【００１３】
（前面開口部の消火栓扉）
消火栓装置の消火栓扉を、下向き開閉扉、上向き開閉扉、横開き扉、下スライド扉、横スライド扉又はスクリーン扉とする。
【００１５】
（消火栓扉の構造）
消火栓装置の消火栓裏扉を、下向き開閉扉、上向き開閉扉、横開き扉、横スライド扉又はスクリーン扉とする。
【００１６】
（ホース収納部）
監視員通路下に消火栓装置のホースを収納するホース収納部を設ける。
【００１７】
（赤色表示灯）
消火栓装置の筐体の上面、道路側前面、監視員通路側裏面の何れか又は複数個所に赤色表示灯を設ける。
【００１８】
（消火器筐体の連設）
消火器を収納する消火器筐体を消火栓装置の筐体に連設し、消火器筐体の前面開口に開閉自在な消火器扉を設けると共に、消火器筐体の裏面開口に開閉自在な消火器裏扉を設ける。
【００１９】
（監視員通路の路肩から側壁に一部埋込設置）
消火栓据付部は、監視員通路の路肩から側壁を刳り貫き形成し、消火栓据付部に消火栓装置の筐体の一部を埋込設置する。
【００２０】
（消火器箱）
また、本発明のトンネル内非常用設備は、
トンネル側壁に沿って設けた監視員通路の道路に面した路肩に形成した消火器据付部と、
消火器据付部に設置され、消火器を収納した筐体の道路に面した前面開口に開閉自在な消火器扉を設けると共に、筐体の裏面開口に開閉自在な消火器裏扉を設けた消火器箱と、
を備えたことを特徴とする。
【００２１】
（消火器扉と消火器裏扉の構造）
消火器箱の消火器扉を、下向き開閉扉、上向き開閉扉、横開き扉、下スライド扉、横スライド扉又はスクリーン扉とし、
消火器箱の消火器裏扉を、下向き開閉扉、上向き開閉扉、横開き扉、横スライド扉又はスクリーン扉とする。
【発明の効果】
【００２２】
（基本的な効果）
本発明は、トンネル内非常用設備に於いて、トンネル側壁に沿って設けた監視員通路の道路に面した路肩に形成した消火栓据付部と、消火栓据付部に設置され、ノズル付きホースを収納した筐体の道路に面した前面開口に開閉自在な消火栓扉を設けた消火栓装置とを設けるようにしたため、監視員通路の路肩に設置した消火栓装置は道路に直接面していることから、火災を伴う車両事故の発生時に、事故車両の運転者等の利用者は、路面から手近かにある消火栓扉を開き、ノズル付きホースを引き出して消火を行うことができ、従来の監視員通路の上となるトンネル側壁に設置した場合に比べ、監視員通路に妨げられることなく消火栓装置を簡単且つ容易に操作することができ、迅速且つ確実に消火作業を行うことを可能とする。
【００２３】
また、消火栓装置を監視員通路に沿ったトンネル側壁に設置せずに、監視員通路の路肩に設置したことで、消火栓装置から引き出したホースが監視員通路を塞ぐことがないため避難の妨げとならず、迅速且つ安全な避難行動を可能とする。
【００２４】
（前面開口部の消火栓扉による効果）
また、消火栓装置の消火栓扉を、下向き開閉扉、上向き開閉扉、横開き扉、下スライド扉、横スライド扉又はスクリーン扉としたため、何れの構造の消火栓扉も、扉を開放した状態で、消火栓装置の全面開口のホース引出し方向となる前方に張り出すように位置することがないため、ホース引出し作業を開放した消火栓扉により妨げることがなく、消火栓装置を簡単且つ容易に操作することができ、迅速且つ確実に消火作業を行うことを可能とする。
【００２５】
（消火栓裏扉の効果）
また、消火栓装置の裏面開口に開閉自在に消火栓裏扉を設けるようにしたため、火災を伴う車両事故の発生時に、消火栓装置の前に車両が停止して道路面側から消火栓扉を開いてノズル付きホースを引き出せないような場合は、監視員通路に設けている消火栓裏扉を開くことで、確実にノズル付きをホースを引き出して消火作業を行うことを可能とする。
【００２６】
また、消火栓装置の点検は、監視員通路側に設けた消火栓裏扉を開いて行うことで、トンネル内の車両通行の規制を必要とすることなく、消火栓装置の点検作業を可能とする。
【００２７】
（消火栓裏扉の構造による効果）
また、消火栓装置の消火栓裏扉を、下開き扉、横開き扉、横スライド扉又はスクリーン扉とするようにしたため、消火栓扉を開いても監視員通路の通行を妨げることがない。
【００２８】
（ホース収納部の効果）
また、監視員通路下に消火栓装置のホースを収納するホース収納部を設けるようにしたため、監視員通路の路肩に設置している消火栓装置の筐体の奥行寸法を必要最小限に薄くし、監視員通路の路肩に消火栓装置を設置しても、避難路としても使用する監視員通路の通路幅を十分に確保可能とする。
【００２９】
（赤色表示灯の効果）
また、消火栓装置の筐体の上面、道路側前面、監視員通路側裏面の何れか又は複数個所に赤色表示灯を設けるようにしたため、消火栓装置の設置場所を示す赤色表示灯を筐体上面に設けた場合は、監視員通路の路肩に設置した消火栓装置の筐体上部の高い位置となることから、且つトンネル側壁から離れた位置にあり、遠方からの視認性を高めることができる。また、筐体の道路側前面に赤色表示灯を設けた場合は、消火栓装置の近傍に車両が停止した場合に、消火栓装置の設置場所を確実に認識可能とする。更に、筐体の監視員通路側裏面に赤色表示灯を設けた場合には、監視員通路にから消火栓装置の設置場所を確実に認識可能とする。
【００３０】
（消火器筐体の連設による効果）
また、消火器を収納する消火器筐体を消火栓装置の筐体に連設し、消火器筐体の前面開口に開閉自在な消火器扉を設けると共に消火器筐体の裏面開口に開閉自在な消火器裏扉を設けるようにしたため、消火器扉も直接道路に面していることから、火災を伴う車両事故の発生時に、事故車両の運転者等の利用者は、路面側から消火器扉を開き、内部に収納している消火器を取り出して消火作業を行うことが可能となり、従来の監視員通路の上となるトンネル側壁に設置した場合に比べ、監視員通路に妨げられることなく消火器扉に手近かにあるので、簡単且つ容易に消火器を取り出して迅速且つ確実な消火作業を行うことを可能とする。
【００３１】
また、火災を伴う車両事故の発生時に、消火栓装置の前に車両が停止して道路面側から消火器扉を開いて消火器を取り出せないような場合は、監視員通路に設けている消火器裏扉を開くことで、確実に消火器を取出して消火作業を行うことを可能とする。
【００３２】
更に、消火器の点検や交換を行う場合には、監視員通路側に設けた消火器裏扉を開いて作業を行うことで、トンネル内の車両通行の規制を必要とすることなく、消火器の点検や交換等の作業を可能とする。
【００３３】
（監視員通路の路肩から側壁に一部埋込設置による効果）
また、消火栓据付部は、消火栓据付部は、監視員通路の路肩から側壁を刳り貫き形成し、消火栓据付部に消火栓装置の筐体の一部を埋込設置するようにしたため、消火栓装置の監視員通路側に位置する高さを低くして監視員通路の通行を容易にすると共に、消火栓装置の前面を道路側の低い位置に配置することで、道路側から消火栓扉を開いてノズル付きホースの引き出しによる消火活動が容易でできるようにする。
【００３４】
（消火器箱の効果）
また、本発明のトンネル内非常用設備は、トンネル側壁に沿って設けた監視員通路の道路に面した路肩に形成した消火器据付部と、消火器据付部に設置され、消火器を収納した筐体の道路に面した前面開口に開閉自在な消火器扉を設けると共に、筐体の裏面開口に開閉自在な消火器裏扉を設けた消火器箱とを備えるようにしたため、前述した消火器筐体を連設した場合と同様の効果が得られる。
【００３５】
（消火器扉と消火器裏扉の構造による効果）
また、消火器箱の消火器扉を、下向き開閉扉、上向き開閉扉、横開き扉、下スライド扉、横スライド扉又はスクリーン扉とし、消火器箱の消火器裏扉を、下向き開閉扉、上向き開閉扉、横開き扉、横スライド扉又はスクリーン扉とするようにしたため、前述した消火栓扉および消火栓裏扉の場合と同様の効果が得られる。
【図面の簡単な説明】
【００３６】
【図１】トンネル内に設置した非常用設備を示した説明図
【図２】消火栓装置を監視員通路の路肩に設置したトンネル内非常用設備を示した説明図
【図３】トンネル内非常用設備の横断面を示した断面図
【図４】消火栓装置を正面から示した説明図
【図５】消火栓装置を平面から示した説明図
【図６】横スライド扉を設けた消火栓装置を示した説明図
【図７】観音開きする横開閉扉を設けた消火栓装置を示した説明図
【図８】下スライド扉を設けた消火栓装置を示した説明図
【図９】上開き扉を設けた消火栓装置を示した説明図
【図１０】スクリーン扉を設けた消火栓装置を示した説明図
【図１１】監視員通路の内部にホース収納部を配置したトンネル内非常用設備を示した断面図
【図１２】監視員通路に消火栓装置の下側を埋込設置したトンネル内非常用設備を示した説明図
【図１３】図１２のトンネル内非常用設備を横断面で示した断面図
【発明を実施するための形態】
【００３７】
［トンネル内非常用設備の概要］
図１はトンネル内に設置した非常用設備を示した説明図である。図１に示すように、トンネル１０内には蒲鉾状のトンネル壁面１２により覆われた道路１５を設けており、この例にあっては、道路１５は１方向２車線としている。
【００３８】
道路１５の左側のトンネル壁面１２に沿って監視員通路１４を設けており、監視員通路１４の道路１５側の側壁１４ａの路肩に形成した消火栓据付部に消火栓装置１６を設置している。消火栓装置１６はトンネル長手方向の５０メートルおきに設置する。
【００３９】
監視員通路１４の下はダクト１８として利用する空洞となっており、ダクト１８内には給水本管２０や電線管２２を敷設している。
【００４０】
（消火栓装置の設置構造）
図２は消火栓装置を監視員通路の路肩に設置したトンネル内非常用設備を示した説明図であり、図２（Ａ）に正面を示し、図２（Ｂ）に平面を示す。また、図３はトンネル内非常用設備の横断面を示した断面図である。
【００４１】
図２及び図３に示すように、トンネル壁面１２の長手方向に、所定長さのコンクリートブロックにより作られた側壁１４ａを連続して配置し、その上にコンクリート製の路面板を並べて載せることで監視員通路１４を構築しており、監視員通路１４の下には空洞が形成されている。また、側壁１４ａの上部には手摺り２４を設けている。
【００４２】
監視員通路１４の側壁１４ａ上部となる路肩部分には、５０メートル間隔で消火栓据付部１７を形成し、そこに前面が道路１５の路面に面するように消火栓装置１６を設置している。監視員通路１４の下のダクト１８に設けた給水本管２０からは給水管２１を分岐して消火栓装置１６に接続している。
【００４３】
消火栓装置１６は、道路１５に面した前面開口の下側に下向き（或いは上向き）に開閉自在な消火栓扉２６を設けており、その上に上向きに開閉自在な保守扉２８を設けている。消火栓扉２６はハンドル操作によりロックを解除することで下向き（或いは上向き）に開放し、監視員通路１４の側壁１４ａに沿って垂れ下った消火栓扉２６ａに示す位置に開放する。
【００４４】
このため開放位置に開いた消火栓扉２６ａは、消火栓装置１６の前面開口から外れた位置となり、前面開口からノズル付きのホースを引き出す場合に邪魔になることはない。なお、消火栓扉２６は開放した場合に消火栓筐体の下面側（底面側）に折り畳んで収納しても良い。また、消火栓扉２６の折り畳んだ場合の高さを小さくする場合は、２枚扉とすれば良い。
【００４５】
また、保守扉２８はステー等で開放位置を保持し、火災の場合は消防隊員により保守扉２８の内側に設けている給水栓に対する消防ホースの接続とポンプ起動スイッチの操作によりポンプ起動を行うことになる。
【００４６】
また、消火栓装置１６の監視員通路１４に面した裏面開口には、横方向に開閉自在に消火栓裏扉３２を設けている。消火栓裏扉３２は、トンネル内で起きた車両火災に伴い消火栓装置１６の前に車両が停止していて消火栓扉２６の開放によるノズル付きホースの取出しができない場合に、消火栓裏扉３２ａに示すように開放し、裏面開口からノズル付きホースを取り出して行う消火活動を可能とする。
【００４７】
また、消火栓装置１６を点検する場合にも、同様に、消火栓裏扉３２を開放し、トンネル内の通行規制を行うことなく、裏面開口から点検作業を行うことを可能とする。
【００４８】
更に、監視員通路１４の路肩に設置した消火栓装置１６の上面には赤色表示灯３６を設けている。赤色表示灯３６は消火栓装置１６の設置場所を示しており、横方向に対し斜め１０°方向から視認できなければならないが、赤色表示灯３６は監視員通路１４を超える高い位置で且つトンネル壁面１２から道路側となる離れた位置にあることから、トンネル内から見た場合に高い視認性を確保可能とする。
【００４９】
また、消火栓装置１６の道路面側前面に赤色表示灯３６ａを設けると共に、筐体の監視員通路側裏面に赤色表示灯３６ｂを設け、更に高い視認性を確保しても良い。
【００５０】
一方、消火栓装置１６は左側に消火器収納部を一体に連設しており、消火器収納部の前面に消火器扉３０を横方向に開閉自在に設け、また、消火器収納部の裏面にも、横方向に開閉自在に消火器裏扉３４を設けている。
【００５１】
消火器裏扉３４は、トンネル内で起きた車両火災に伴い消火栓装置１６の前に車両が停止していて消火器扉３０の開放による消火器の取出しができない場合に、消火器裏扉３４ａに示すように開放し、裏面開口から消火器を取り出して行う消火活動を可能とする。
【００５２】
また、消火器を点検したり交換したりする場合にも、同様に、消火器裏扉３４を開放し、トンネル内の通行規制を行うことなく、裏面開口からの点検作業や交換作業を可能とする。
【００５３】
［消火栓装置の構成］
（消火栓装置の前面構造）
図４は消火栓扉を開放した状態を正面から示した説明図、図５は内部構造を平面で示した説明図である。
【００５４】
図４に示すように、消火栓装置１６は、消火栓筐体４２と消火器筐体４４を分割した構造であり、前面側にそれぞれ扉開口４８，５２を形成している。また、消火栓筐体４２と消火器筐体４４の裏面側にもそれぞれ扉開口を形成している。
【００５５】
消火栓筐体４２内には、ホース収納部７０及びバルブ類収納部７２を設けている。ホース収納部７０にはホースバケット構造７６を設け、ホースバケット構造７６は、上下２本と左右２本のバケットフレームによりホース取出口７８を仕切り形成している。ホースバケット構造７６は裏面側に同様なバケットフレームの配置によるホース取出口を仕切形成している。
【００５６】
ホース収納部７０には、正面から見て右巻きとなるようにホース８０を内巻きして収納しており、ホース８０の先端にはノズル８２を装着している。ノズル８２は放水部とハンドルで構成しており、ホース取出口７８から見えるホース８０を内巻した内部空間に配置しており、表側のホース取出口７８及び裏側のホース取出口の両方からノズル８２を取り出してホース８０を引き出せるようにしている。
【００５７】
ホース収納部７０の右側に形成したバルブ類収納部７２には、ポンプ設備からの配管からホース８０に至る配管系統に、給水弁８６、消火栓弁、自動調圧弁（又は定量弁）８８、自動排水弁及びメンテナンス装置９０を設けている。このうち消火栓弁は消火栓弁開閉レバー９２により開閉操作できるようにしている。消火栓弁開閉レバー９２は前面開口から操作するハンドル９２ａと、裏目開口から操作するハンドル９２ｂを備えている。また、給水弁８６の手前には消防隊員が使用するポンプ起動釦９３を設けている。
【００５８】
（消火栓装置の裏面構造）
図５に示すように、消火栓装置１６は、消火栓筐体４２の裏面開口に消火栓裏扉３２を配置し、また、消火器筐体４４の裏面開口にも消火器裏扉３４を配置している。
【００５９】
消火栓筐体４２の消火栓裏扉３２を開くことにより、図４に示したように、ホース収納部７０に内巻したホース８０の内部空間に配置しているノズル８２をホースバケット構造７６の裏面側に形成したホース取出口から取り出してホース８０を引き出すことができ、また、裏面開口から手を入れて図４に示したハンドル９２ｂにより消火栓弁開閉レバー９２を開放側に操作して、引き出したホース８０のノズル８２から放水して消火作業を行うことを可能とする。
【００６０】
更に、点検の際に、消火栓裏扉３２を開いてホース８０、ノズル８２及びバルブ類の点検作業を消火栓装置１６の裏側の監視員通路から行うことを可能とする。
【００６１】
また、消火器筐体４４の消火器裏扉３４を開くことにより、消火器収納部７４に収納している消火器９４を取り出して消火作業を行うことを可能とする。更に、点検や消火器交換の際に、消火器裏扉３４を開いて消火器収納部７４に収納している消火器９４の点検や、有効期限に近づいた場合の消火器９４の交換を監視員通路となる裏側から行うことを可能とする
［消火栓扉の開閉構造］
本実施形態によるトンネル内非常用設備における消火栓扉の開閉構造としては、図２及び図３に示した下開き扉構造以外に図６乃至図１０に示す扉構造とすることができる。
【００６２】
図６は消火栓装置１６の消火栓扉として横スライド扉２６−１を設けており、横スライド扉２６−１を正面から見て右側に示す横スライド扉２６ａ−１の位置にスライドして開くことができる。横スライド扉２６−１は、消火栓筐体の前面開口の上下に横方向に伸縮自在なレール部材を備え、レール部材の伸縮に伴って横方向にスライドして開閉する扉構造となる。
【００６３】
図７は消火栓装置１６の消火栓扉として観音開きする一対の横開閉扉２６−２を設けており、横開閉扉２６−２を正面から見て左右に示す開閉扉２６ａ−２の位置に開くことができる。
【００６４】
図８は消火栓装置１６の消火栓扉として下スライド扉２６−３を設けており、下スライド扉２６−３を監視員通路１４の側壁１４ａに沿って下側にスライドすることで、開閉扉２６ａ−３の位置に開くことができる。下スライド扉２６−３は例えばワイヤーの巻き出しと巻込みによりスライドして開閉する構造とする。
【００６５】
図９は消火栓装置１６の消火栓扉として上開き扉２６−４を設けており、上開き扉２６−４を扉上端を支軸として上向きに回動して上開き扉２６ａ−４に示す位置に開放する。上開き扉２６−４は開放位置に保持するためのロック機構を備える。
【００６６】
図１０は消火栓装置１６の消火栓扉としてスクリーン扉２６−５を設けている。スクリーン扉２６−５は図１０（Ａ）に示すように、扉上部を扉開口の上端に保持することでスクリーンを展開して扉開口を閉じており、スクリーン扉２６−５の保持を解除することで、図１０（Ｂ）に示すように、スクリーン扉２６−５が扉開口の下側に落下して開放する。
【００６７】
一方、消火栓装置１６の裏面開口に設ける消火栓裏扉３２としては、図２に示した横開き扉以外に、図６と同様な横スライド裏扉、図９と同様な上開き裏扉、図１０と同様なスクリーン裏扉等としても良い。
【００６８】
［監視員通路内にホース収納部を配置した実施形態］
図１１は監視員通路の内部にホース収納部を配置したトンネル内非常用設備を示した断面図である。
【００６９】
本実施形態のトンネル内非常用設備にあっては、監視員通路１４の路肩に消火栓装置１６を設置することから、消火栓装置１６の奥行寸法を可能な限り薄くして監視員通路の通行可能な通路幅を十分に確保することが重要になる。
【００７０】
そこで図１１の実施形態にあっては、監視員通路１４の路肩に設置している消火栓装置１６の筐体内にはホース収納部を設けず、監視員通路１４の下側の空洞となるダクト１８の空きスペースにホース収納部１００を設けている。
【００７１】
ホース収納部１００は上端を開いた収納ボックスを監視員通路１４の内部となるダクト１８内に設置しており、ホース収納部１００の収納ボックス内にホース８０を内巻きして収納し、ホース８０の先端側を消火栓装置１６のホースバケット構造１０３の中に下側から引き込んで先端にノズル８２を装着している。
【００７２】
また、ホース収納部１００を内部に配置した監視員通路１４の路面に位置する部分に、トンネル壁面１２側を支軸に開閉自在なホース扉１０２を設けている。ホース扉１０２は、消火栓装置１６からホース８０を引き出して消火作業を行った後、ホース８０を水抜きしてホース収納部１００に収納する場合に、ホース扉１０２ａに示す位置に開放してホース収納部１００を開き、ホース収納部１００に対する使用したホース８０を内巻する作業を容易に行えるようにしている。
【００７３】
このようにホース収納部１００を監視員通路１４の内部に設けたことで、消火栓装置１６の筐体内にホース収納部を設ける必要がないことから、消火栓装置１６の奥行寸法を可能な限り薄くし、監視員通路１４の路肩に消火栓装置１６を配置しても、監視員通路１４の通行幅を十分な大きさに確保可能とする。
【００７４】
［監視員通路内にバルブ類を配置した実施形態］
また、本発明の他の実施形態として、図３に示した監視員通路１４の内部に配置している給水管２１の立上り部分に、図４の消火栓装置１６における消火栓筐体４２のバルブ類収納部７２に設けている消火栓弁及び自動調圧弁８８を配置し、消火栓弁開閉レバー９２は消火栓装置１６内に配置し、消火栓弁開閉レバー９２により消火栓弁を遠隔操作するように構成する。
【００７５】
この遠隔操作は、消火栓弁開閉レバーの操作によるワイヤの動きで消火栓弁を開閉する構造としても良いし、消火栓弁を電動弁とし、消火栓弁開閉レバーの操作で作動するスイッチからの信号により消火栓弁として機能する電動弁を閉閉駆動するようにしても良い。
【００７６】
このように消火栓弁及び自動調圧弁８８を監視員通路１４の内部の給水管２１に設けることにより、監視員通路１４の路肩に配置している消火栓装置１６の内部構造を簡単にして消火栓装置１６を薄型化し、監視員通路１４の路肩に消火栓装置１６を配置しても、監視員通路１４の通行幅を十分な大きさに確保可能とする。
【００７７】
また、消火栓装置１６はノズルとホースを収納するだけであることから、消火栓装置１６を監視員通路１４の路肩に設置した場合、消火栓装置１６の高さを手摺り２４の高さ程度に低くすることができる。
【００７８】
［監視員通路の路肩に一部埋込して設置した実施形態］
図１２は監視員通路に消火栓装置の下側を埋込設置したトンネル内非常用設備を示した説明図、図１３は図１２のトンネル内非常用設備を横断面で示した断面図である。
【００７９】
図１２及び図１３に示すように、本実施形態にあっては、監視員通路１４の路肩から側壁１４ａの上部を刳り貫いて消火栓据付部１０４を形成し、消火栓据付部１０４の中に消火栓装置１６の筐体下側を埋込むように設置している。
【００８０】
消火栓装置１６の前面開口に設けた消火栓扉２６と保守扉２８は図２及び図３の実施形態と同じになるが、裏面開口に設ける消火栓裏扉については、監視員通路１４の中に消火栓装置１６の下半分程度が埋め込まれているため、監視員通路１４側に開いた裏面開口の下側を支軸として上下に開閉自在な消火栓裏扉３２を設けている。この点は消火器収納部の裏面開口に設ける消火器裏扉についいても同様となる。
【００８１】
このように監視員通路１４の路肩から側壁に掛けて消火栓据付部１０４を形成して消火栓装置１６の下側略半分を埋込設置したことで、監視員通路１４の通路面からの飛び出し量を低くし、監視員通路１４の通行の妨げを低減する。また、消火栓装置１６を埋込設置した分、道路１５に対する消火栓装置１６の設置高さを低くし、道路１５側から消火栓扉２６を開いてノズル付きホースの取出しによる消火作業を、更に行い易くする。
【００８２】
なお、消火栓装置１６を埋め込む消火栓据付部１０４の下端の道路１５の路面からの高さは、消火栓扉２６を開閉した場合に、消火栓扉２６ａに示すように、側壁１４ａに沿って垂れ下がることで道路１５の路面に当ることにない高さとする。
【００８３】
［本発明の変形例］
（消火器箱）
上記の実施形態は、消火器収納部を連設した消火栓装置を例にとっているが、消火器収納部を独立して消火器箱として構成した場合も本発明によるトンネル内非常設備の実施形態に含むものである。
【００８４】
（消火栓扉）
上記の実施形態は、スクリーン扉を除き、消火栓装置の全面開口に、消火栓扉と保守扉を設けているが、保守扉を廃止し、一枚の消火栓扉のみを設けるようにしても良い。
【００８５】
（消火器収納部の連設）
上記の実施形態は、消火器収納部を連設した消火栓装置を例とっているが、消火器収納部を持たない消火栓装置としても良い。
【００８６】
（消火栓弁）
上記の実施形態では、消火栓弁開閉レバーを備えた消火栓弁を筐体内の縦方向に配置しているが、必要に応じて横方向又は斜め方向等の操作し易い向きに設置してもよい。また、上記の実施形態は消火栓弁を１台設けているが、必要に応じて消火栓弁を複数台設け、何れかの消火栓弁を開操作することで放水を行うようにしても良い。
【００８７】
（消火栓装置）
上記の実施形態で示した消火栓装置の、例えば筐体に内蔵されるホース類や消火栓弁等のバルブ類、通報装置扉の構成及び配置、その他の構成については任意であり、適宜の構成を採用して良い。要するに、消火栓装置の両側の開口に対し扉を設け、本願の課題の一部又は全部を解決し、或いは若干でも改善するものであれば良い。
【００８８】
（その他）
また本発明は、その目的と利点を損なうことのない適宜の変形を含み、更に、上記の実施形態に示した数値による限定は受けない。
【符号の説明】
【００８９】
１０：トンネル
１２：トンネル壁面
１４：監視員通路
１４ａ：側壁
１５：道路
１６：消火栓装置
１７，１０４：消火栓据付部
１８：ダクト
２０：給水本管
２４：手摺り
２６：消火栓扉
２６−１：横スライド扉
２６−２：横開閉扉
２６−３：下スライド扉
２６−４：上開き扉
２６−５：スクリーン扉
２８：保守扉
３０：消火器扉
３２：消火栓裏扉
３４：消火器裏扉
３６，３６ａ，３６ｂ：赤色表示灯
６２：通報装置扉
６６：発信機
６８：応答ランプ
７０，１００：ホース収納部
７２：バルブ類収納部
７４：消火器収納部
７６，１０３：ホースバケット構造
７８：ホース取出口
８０：ホース
８２：ノズル
８６：給水弁
８８：自動調圧弁
９０：メンテナンス装置
９２：消火栓弁開閉レバー
９４：消火器
１０２：ホース扉
【図１】
0006510320.tif 000002
【図２】
0006510320.tif 000003
【図３】
0006510320.tif 000004
【図４】
0006510320.tif 000005
【図５】
0006510320.tif 000006
【図６】
0006510320.tif 000007
【図７】
0006510320.tif 000008
【図８】
0006510320.tif 000009
【図９】
0006510320.tif 000010
【図１０】
0006510320.tif 000011
【図１１】
0006510320.tif 000012
【図１２】
0006510320.tif 000013
【図１３】
0006510320.tif 000014